(57)【要約】【課題】携帯ストラップが外れたことを使用者に警告する端末装置を実現する。【解決手段】制御部１００は、所定周期毎に触覚センサ部１１１の出力信号を取得し、取得した出力信号が接触物有り、つまり携帯ストラップが巻回保持されている状態であるかどうかを判断する。接触物有りの状態（携帯ストラップが巻回保持されている状態）ならば本処理を終えるが、接触物無しの状態（携帯ストラップが外れている状態）であると、携帯ストラップが外れたことを検知した時点の年月日および時刻、紛失回数を携帯ストラップ紛失履歴としてメモリ部１０８の使用者エリアに保存した後、使用者に対して携帯ストラップが外れたことを所定回数繰り返し警告する。【選択図】図４
2013219756.tif 000002
【特許請求の範囲】
【請求項１】
ストラップの接触状態を検出する検出手段と、
前記検出手段の検出結果からストラップが装着された状態であるか否かを判別する判別手段と、
前記判別手段によりストラップが外れた状態と判別された場合に、ストラップの紛失を警告する紛失警告手段と
を具備することを特徴とする端末装置。
【請求項２】
前記判別手段によりストラップが外れた状態と判別された場合に、現在年月日および時刻、紛失回数を紛失履歴として記録する履歴記録手段を更に備えることを特徴とする請求項１記載の端末装置。
【請求項３】
前記紛失警告手段は、使用者による警告停止操作が為されない場合に、警告動作を所定回数繰り返した後、警告動作を停止させることを特徴とする請求項１記載の端末装置。
【請求項４】
現在位置情報を取得する位置情報取得手段を更に備え、
前記履歴記録手段は、前記判別手段によりストラップが外れた状態と判別された場合に、前記位置情報取得手段により取得された現在位置情報を紛失場所として、現在年月日および時刻、紛失回数と共に紛失履歴として記録することを特徴とする請求項２記載の端末装置。
【請求項５】
前記紛失警告手段は、警告動作を所定回数繰り返した後、遺失物の届け出を通知する通知手段を更に備えることを特徴とする請求項１記載の端末装置。
【請求項６】
ストラップに加わる力を検出する力検出手段と、
前記力検出手段の検出結果からストラップに過負荷が加えられたか否かを判別する過負荷判別手段と、
前記過負荷判別手段によりストラップに過負荷が加えられたと判別された場合に、現在年月日および時刻、検出回数を負荷履歴として記録する負荷履歴記録手段と、
前記過負荷判別手段によりストラップに過負荷が加えられたと判別された場合に、ストラップの過負荷を警告する警告手段と
を具備することを特徴とする端末装置。
【請求項７】
ストラップの劣化の有無を検出する劣化検出手段と、
前記劣化検出手段によりストラップの劣化が検出された場合に、現在年月日および時刻、検出回数を検出履歴として記録する劣化履歴記録手段と、
前記劣化検出手段によりストラップの劣化が検出された場合に、ストラップの劣化を警告する警告手段と
を具備することを特徴とする端末装置。
【請求項８】
端末装置に搭載されるコンピュータに、
ストラップの接触状態を検出する検出ステップと、
前記検出ステップでの検出結果からストラップが装着された状態であるか否かを判別する判別ステップと、
前記判別ステップによりストラップが外れた状態と判別された場合に、ストラップの紛失を警告する紛失警告ステップと
を実行させることを特徴とするプログラム。
【請求項９】
前記判別ステップによりストラップが外れた状態と判別された場合に、現在年月日および時刻、紛失回数を紛失履歴として記録する履歴記録ステップを更に備えることを特徴とする請求項８記載のプログラム。
【請求項１０】
前記紛失警告ステップは、使用者による警告停止操作が為されない場合に、警告動作を所定回数繰り返した後、警告動作を停止させることを特徴とする請求項８記載のプログラム。
【請求項１１】
現在位置情報を取得する位置情報取得ステップを更に備え、
前記履歴記録ステップは、前記判別ステップによりストラップが外れた状態と判別された場合に、前記位置情報取得ステップにより取得された現在位置情報を紛失場所として、現在年月日および時刻、紛失回数と共に紛失履歴として記録することを特徴とする請求項９記載のプログラム。
【請求項１２】
前記紛失警告ステップは、警告動作を所定回数繰り返した後に、遺失物の届け出を通知する通知ステップを更に備えることを特徴とする請求項８記載のプログラム。
【請求項１３】
端末装置に搭載されるコンピュータに、
ストラップに加わる力を検出する力検出ステップと、
前記力検出ステップの検出結果からストラップに過負荷が加えられたか否かを判別する過負荷判別ステップと、
前記過負荷判別ステップでストラップに過負荷が加えられたと判別された場合に、現在年月日および時刻、検出回数を負荷履歴として記録する負荷履歴記録ステップと、
前記過負荷判別ステップでストラップに過負荷が加えられたと判別された場合に、ストラップの過負荷を警告する警告ステップと
を実行させることを特徴とするプログラム。
【請求項１４】
ストラップの劣化の有無を検出する劣化検出ステップと、
前記劣化検出ステップでストラップの劣化が検出された場合に、現在年月日および時刻、検出回数を検出履歴として記録する劣化履歴記録ステップと、
前記劣化検出ステップでストラップの劣化が検出された場合に、ストラップの劣化を警告する警告ステップと
を実行させることを特徴とするプログラム。
【発明の詳細な説明】
【技術分野】
【０００１】
本発明は、携帯ストラップが外れたことを使用者に警告したり、携帯ストラップの劣化を招致する過大なストレスが加わったことを使用者に警告したりする端末装置およびプログラムに関する。
【背景技術】
【０００２】
元々、携帯ストラップ（ハンドストラップ）は、携帯端末の落下を防止したり、ポケットや鞄などから取り出すことを容易にする目的で使用するものであったが、近年このような携帯ストラップに、使用者の好みに応じて、キャラクターや様々な飾りや装飾を施して使用することが普及している。
【０００３】
更に、ストラップに取り付けられているキャラクターやアクセサリーが携帯端末着信時の電磁波により揺れ動く構成（例えば特許文献１）や、イヤホンと一体化した構成（例えば特許文献２）、または受信用アンテナを内蔵した構成（例えば特許文献３や特許文献４）、太陽発電機能を備えた構成（例えば特許文献５）等、携帯ストラップに付加価値を付与する提案が多数なされている。
【先行技術文献】
【特許文献】
【０００４】
【特許文献１】特開２０００−０２３６７１号公報
【特許文献２】特開２００１−３２６７１２号公報
【特許文献３】特開２００６−１７３７３２号公報
【特許文献４】特許第３８２７２００号公報
【特許文献５】特開２００１−２６８１９８号公報
【発明の概要】
【発明が解決しようとする課題】
【０００５】
ところで、携帯ストラップは、従来の使用目的以外の多様な機能を備えることや、個人の趣味や嗜好、個性を実現するための要素を備えることを期待されていることが多い。高い機能性を備えた携帯ストラップを紛失すれば、利便性が損なわれるし、好みのキャラクターやアクセサリーが装飾された愛着のある携帯ストラップを紛失すれば、精神的なショックを受けることにもなる。また、高価な携帯ストラップであれば経済的な損失も被ることになる。
【０００６】
しかしながら、上記特許文献１乃至５に開示の技術は、何れも携帯ストラップが外れたことを使用者に警告したり、携帯ストラップの劣化を招致する過大なストレスが加わったことを使用者に警告したりすることが出来ないという問題がある。
【０００７】
本発明は、このような事情に鑑みてなされたもので、携帯ストラップが外れたことを使用者に警告したり、携帯ストラップの劣化を招致する過大なストレスが加わったことを使用者に警告したりすることができる端末装置およびプログラムを提供することを目的としている。
【課題を解決するための手段】
【０００８】
上記目的を達成するため、本発明の端末装置では、ストラップの接触状態を検出する検出手段と、前記検出手段の検出結果からストラップが装着された状態であるか否かを判別する判別手段と、前記判別手段によりストラップが外れた状態と判別された場合に、ストラップの紛失を警告する紛失警告手段とを具備することを特徴とする。
【０００９】
また、本発明の端末装置では、ストラップに加わる力を検出する力検出手段と、前記力検出手段の検出結果からストラップに過負荷が加えられたか否かを判別する過負荷判別手段と、前記過負荷判別手段によりストラップに過負荷が加えられたと判別された場合に、現在年月日および時刻、検出回数を負荷履歴として記録する負荷履歴記録手段と、前記過負荷判別手段によりストラップに過負荷が加えられたと判別された場合に、ストラップの過負荷を警告する警告手段とを具備することを特徴とする。
【００１０】
さらに、本発明の端末装置では、ストラップの劣化の有無を検出する劣化検出手段と、前記劣化検出手段によりストラップの劣化が検出された場合に、現在年月日および時刻、検出回数を検出履歴として記録する劣化履歴記録手段と、前記劣化検出手段によりストラップの劣化が検出された場合に、ストラップの劣化を警告する警告手段とを具備することを特徴とする。
【００１１】
本発明のプログラムでは、端末装置に搭載されるコンピュータに、ストラップの接触状態を検出する検出ステップと、前記検出ステップでの検出結果からストラップが装着された状態であるか否かを判別する判別ステップと、前記判別ステップによりストラップが外れた状態と判別された場合に、ストラップの紛失を警告する紛失警告ステップとを実行させることを特徴とする。
【００１２】
また、本発明のプログラムでは、端末装置に搭載されるコンピュータに、ストラップに加わる力を検出する力検出ステップと、前記力検出ステップの検出結果からストラップに過負荷が加えられたか否かを判別する過負荷判別ステップと、前記過負荷判別ステップでストラップに過負荷が加えられたと判別された場合に、現在年月日および時刻、検出回数を負荷履歴として記録する負荷履歴記録ステップと、前記過負荷判別ステップでストラップに過負荷が加えられたと判別された場合に、ストラップの過負荷を警告する警告ステップとを実行させることを特徴とする。
【００１３】
さらに、本発明のプログラムでは、端末装置に搭載されるコンピュータに、ストラップの劣化の有無を検出する劣化検出ステップと、前記劣化検出ステップでストラップの劣化が検出された場合に、現在年月日および時刻、検出回数を検出履歴として記録する劣化履歴記録ステップと、前記劣化検出ステップでストラップの劣化が検出された場合に、ストラップの劣化を警告する警告ステップとを実行させることを特徴とする。
【発明の効果】
【００１４】
本発明では、携帯ストラップが外れたことを使用者に警告したり、携帯ストラップの劣化を招致する過大なストレスが加わったことを使用者に警告したりすることができる。
【図面の簡単な説明】
【００１５】
【図１】第１実施形態による携帯端末１０の構成を示すブロック図である。
【図２】携帯ストラップ取り付け口に設けられた触覚センサ部１１１を示す斜視図である。
【図３】触覚センサ部１１１に携帯ストラップを取り付けた状態を示す斜視図である。
【図４】第１実施形態による携帯ストラップ紛失検出処理の動作を示すフローチャートである。
【図５】第２実施形態による携帯ストラップ紛失検出処理の動作を示すフローチャートである。
【図６】第３実施形態による携帯ストラップ紛失検出処理の動作を示すフローチャートである。
【図７】第４実施形態による携帯ストラップ紛失検出処理の動作を示すフローチャートである。
【図８】第１〜第４実施形態の変形例を説明するための図である。
【図９】第１〜第４実施形態の変形例を説明するための図である。
【図１０】第５実施形態による携帯ストラップストレス検出処理の動作を示すフローチャートである。
【図１１】第６実施形態による携帯ストラップ取り付け口の構造を示す正面断面図である。
【図１２】携帯ストラップの係留部に劣化が生じた場合の一例を示す正面断面図である。
【図１３】第６実施形態による携帯ストラップ劣化検出処理の動作を示すフローチャートである。
【発明を実施するための形態】
【００１６】
以下、図面を参照して本発明の実施形態について説明する。
［第１実施形態］
Ａ．構成
図１は、第１実施形態による携帯端末１０の構成を示すブロック図である。図１において、制御部１００は、ＣＰＵおよび入出力回路などから構成され、後述の操作部１０６から供給される操作イベントに応じて各部動作を制御する。通信部１０１は、制御部１００の制御の下に、音声通話時にはアンテナを介して受信復調した音声データを制御部１００に出力する一方、制御部１００から供給される音声データを変調して得た送信信号を高周波増幅して無線送信し、データ通信時にはアンテナ（不図示）を介して移動体通信網の基地局と無線通信でデータ授受する。
【００１７】
電源部１０２は、制御部１００の制御の下に、携帯端末１０の各部を駆動する電源を供給する。表示部１０３は、カラー液晶パネルおよび表示ドライバから構成され、制御部１００の制御の下に、待受画面など各種画面を表示する。スピーカ１０４は、制御部１００からＤ／Ａ変換出力される音声信号を放音する。マイクロフォン１０５は、入力音声を音声信号に変換して制御部１００に出力する。
【００１８】
操作部１０６は、タッチパネル部およびキースイッチ部を備える。操作入力部１０６のタッチパネル部は、表示部１０３の表示画面上に敷設され、その表示画面に表示されるソフトキーボードに対応した画面のタッチ操作で情報入力する。また、操作入力部１０６のキースイッチ部は、図示していなが、電源部１０２をパワーオン／オフさせる電源スイッチの他、スピーカ１０４の音量を設定するボリュームキー等を備え、これらキーやスイッチの操作に応じた操作イベントを発生して制御部１００へ出力する。
【００１９】
ＧＰＳ受信部１０７は、ＧＰＳ衛星からのＧＰＳ信号を受信して制御部１００に供給する。制御部１００では、第１の通信部１０１が移動体通信網の基地局から受信したＧＰＳアシストデータとＧＰＳ受信部１０７が受信したＧＰＳ信号とに基づき携帯端末１０の現在位置を表す現在位置情報（緯度、経度）を発生する。
【００２０】
メモリ部１０８は、ワークエリア、プログラムエリア、データエリアおよび使用者エリアを備える。メモリ部１０８のワークエリアは、制御部１００の作業領域として用いられ、各種レジスタ・フラグデータが一時記憶される。メモリ部１０８のプログラムエリアには、制御部１００により実行される各種プログラムが記憶される。各種プログラムには、後述する携帯ストラップ紛失検出処理のプログラムも含まれる。メモリ部１０８のデータエリアには、所定のプログラムにより参照される制御データや、例えば待受画面などを形成する各種画面データ等が記憶される。メモリ部１０８の使用者エリアには、送受信メールやアドレスなどの各種使用者データが記憶される。
【００２１】
第２の通信部１０９は、Ｂｕｌｅｔｏｏｔｈ（登録商標）やＷｉ−Ｆｉ（登録商標）などの短距離無線通信機能および赤外線通信機能を備え、これら機能により他の無線端末装置とデータ授受する。付加機能部１１０は、「おサイフケータイ（登録商標）」等に代表される非接触ＩＣカード機能やカメラ機能を備える。
【００２２】
触覚センサ部１１１は、図２及び図３に図示する一例のように、例えば直方体形状の筐体からなる携帯端末１０の短側面に設けられた携帯ストラップ取り付け口（取り付け穴）と一体的に形成され、携帯ストラップが接触しているか否かを検出する。具体的には、携帯ストラップ取り付け口の梁状部材に、例えば導電性ゴムを用いた感圧スイッチを形成し、携帯ストラップが梁状部材に巻回保持されている装着状態でオン信号（又はオフ信号）を発生し、一方、携帯ストラップが外れた状態でオフ信号（又はオン信号）を出力する。
【００２３】
Ｂ．動作
次に、図４を参照して上記構成による携帯端末１０において、制御部１００が実行する携帯ストラップ紛失検出処理の動作について説明する。本処理は、予め使用者が「携帯ストラップ紛失検出機能」を有効に設定しておいた場合に実行される。すなわち、「携帯ストラップ紛失検出機能」を有効に設定した場合に、本処理は所定周期毎にタイマ割り込み実行される。
【００２４】
本処理の実行タイミングになると、制御部１００は図４に図示するステップＳＡ１に進み、触覚センサ部１１１の出力信号を取得し、続くステップＳＡ２では、取得した出力信号が接触物有り、つまり携帯ストラップが巻回保持されている状態であるかどうかを判断する。触覚センサ部１１１の出力信号が接触物有りの状態（携帯ストラップが巻回保持されている状態）であれば、判断結果は「ＹＥＳ」になり、本処理を終える。
【００２５】
これに対し、触覚センサ部１１１の出力信号が接触物無しの状態（携帯ストラップが外れている状態）ならば、上記ステップＳＡ２の判断結果は「ＮＯ」になり、ステップＳＡ３に進む。ステップＳＡ３では、携帯ストラップが外れたことを検知した時点の年月日および時刻、紛失回数を携帯ストラップ紛失履歴としてメモリ部１０８の使用者エリアに書き込む。こうした紛失履歴を保存することによって携帯ストラップを落とした回数や日時を特定することができる。
【００２６】
次いで、ステップＳＡ４では、表示部１０３に警告メッセージを表示したり、スピーカ１０４から警報音を鳴動させたりして使用者に携帯ストラップが外れたことを警告する。続いて、ステップＳＡ５では、使用者が警告に気付き、操作部１０６にて紛失警告を解除する操作を行ったか否かを判断する。紛失警告を解除する操作が行われた場合には、判断結果が「ＹＥＳ」となり、ステップＳＡ６に進む。ステップＳＡ６では、表示部１０３に警告メッセージを表示したままで、スピーカ１０４からの警報音の鳴動を停止させてから本処理を終える。
【００２７】
一方、紛失警告を解除する操作が行われないと、上記ステップＳＡ５の判断結果は「ＮＯ」になり、ステップＳＡ７に進む。ステップＳＡ７では、警報動作がＺ回（予め設定される所定回数）以上繰り返されたか否かを判断する。警報動作がＺ回（予め設定される所定回数）以下ならば、判断結果は「ＮＯ」になり、上述のステップＳＡ４に処理を戻し、警告動作を繰り返す。
【００２８】
そして、繰り返された警告動作がＺ回（予め設定される所定回数）を超えると、上記ステップＳＡ７の判断結果は「ＹＥＳ」となり、この場合、使用者が携帯端末１０を所持していないか、携帯端末１０を操作できる状況下にいないと見なしてステップＳＡ６に進み、表示部１０３に警告メッセージを表示したままで、スピーカ１０４からの警報音の鳴動を停止させてから本処理を終える。
【００２９】
このように、携帯ストラップ紛失検出処理では、所定周期毎に触覚センサ部１１１の出力信号を取得し、取得した出力信号が接触物有り、つまり携帯ストラップが巻回保持されている状態であるかどうかを判断する。接触物有りの状態（携帯ストラップが巻回保持されている状態）ならば本処理を終えるが、接触物無しの状態（携帯ストラップが外れている状態）であると、携帯ストラップが外れたことを検知した時点の年月日および時刻、紛失回数を携帯ストラップ紛失履歴としてメモリ部１０８の使用者エリアに保存した後、使用者に対して携帯ストラップが外れたことを所定回数繰り返し警告する。
【００３０】
これにより、携帯ストラップが外れたことを使用者に警告することが出来、しかも携帯ストラップが外れたことを検知した時点の年月日および時刻、紛失回数を携帯ストラップ紛失履歴として保存する為、仮に使用者が警告に気付かなくても、後日にメモリ保存された紛失履歴を参照することで紛失した日時を確認して紛失場所や状況を推定することも可能になる。
【００３１】
［第２実施形態］
次に、第２実施形態について説明する。第２実施形態による携帯端末１０の構成は、上述した第１実施形態と同一であるので、その説明については省略する。以下では、図５を参照して第２実施形態による携帯ストラップ紛失検出処理の動作について説明する。本処理は、第１実施形態と同様、予め使用者が「携帯ストラップ紛失検出機能」を有効に設定しておいた場合に実行される。すなわち、「携帯ストラップ紛失検出機能」を有効に設定した場合に、本処理は所定周期毎にタイマ割り込み実行される。
【００３２】
本処理の実行タイミングになると、制御部１００は図５に図示するステップＳＢ１に進み、触覚センサ部１１１の出力信号を取得し、続くステップＳＢ２では、取得した出力信号が接触物有り、つまり携帯ストラップが巻回保持されている状態であるかどうかを判断する。触覚センサ部１１１の出力信号が接触物有りの状態（携帯ストラップが巻回保持されている状態）であれば、判断結果は「ＹＥＳ」になり、本処理を終える。
【００３３】
一方、触覚センサ部１１１の出力信号が接触物無しの状態（携帯ストラップが外れている状態）ならば、上記ステップＳＢ２の判断結果は「ＮＯ」になり、ステップＳＢ３に進む。ステップＳＢ３では、位置登録している基地局から取得したＧＰＳアシストデータとＧＰＳ受信部１０７により受信したＧＰＳ信号とに基づくＧＰＳ測位により現在位置情報（緯度、経度）を紛失場所として取得する。
【００３４】
続いて、ステップＳＢ４では、携帯ストラップが外れたことを検知した時点の年月日および時刻、紛失回数、上記ステップＳＢ３において取得した紛失場所を、携帯ストラップ紛失履歴としてメモリ部１０８の使用者エリアに書き込む。こうした紛失履歴を保存することによって携帯ストラップを落とした場所、回数および日時を特定することができる。
【００３５】
次いで、ステップＳＢ５では、表示部１０３に警告メッセージを表示したり、スピーカ１０４から警報音を鳴動させたりして使用者に携帯ストラップが外れたことを警告する。続いて、ステップＳＢ６では、使用者が警告に気付き、操作部１０６にて紛失警告を解除する操作を行ったか否かを判断する。紛失警告を解除する操作が行われた場合には、判断結果が「ＹＥＳ」となり、ステップＳＢ７に進む。ステップＳＢ７では、表示部１０３に警告メッセージを表示したままで、スピーカ１０４からの警報音の鳴動を停止させてから本処理を終える。
【００３６】
一方、紛失警告を解除する操作が行われないと、上記ステップＳＢ６の判断結果は「ＮＯ」になり、ステップＳＢ８に進む。ステップＳＢ８では、警報動作がＺ回（予め設定される所定回数）以上繰り返されたか否かを判断する。警報動作がＺ回（予め設定される所定回数）以下ならば、判断結果は「ＮＯ」になり、上述のステップＳＢ５に処理を戻し、警告動作を繰り返す。
【００３７】
そして、繰り返された警告動作がＺ回（予め設定される所定回数）を超えると、上記ステップＳＢ８の判断結果が「ＹＥＳ」となり、この場合、使用者が携帯端末１０を所持していないか、携帯端末１０を操作できる状況下にいないと見なしてステップＳＢ７に進み、表示部１０３に警告メッセージを表示したままで、スピーカ１０４からの警報音の鳴動を停止させてから本処理を終える。
【００３８】
このように、第２実施形態による携帯ストラップ紛失検出処理では、所定周期毎に触覚センサ部１１１の出力信号を取得し、取得した出力信号が接触物有り、つまり携帯ストラップが巻回保持されている状態であるかどうかを判断する。接触物有りの状態（携帯ストラップが巻回保持されている状態）ならば本処理を終えるが、接触物無しの状態（携帯ストラップが外れている状態）であると、携帯ストラップが外れたことを検知した時点の年月日および時刻、紛失回数、ＧＰＳ測位により取得した紛失場所を、携帯ストラップ紛失履歴としてメモリ部１０８の使用者エリアに保存した後、使用者に対して携帯ストラップが外れたことを所定回数繰り返し警告する。
【００３９】
これにより、携帯ストラップが外れたことを使用者に警告することが出来、しかも携帯ストラップが外れたことを検知した時点の年月日および時刻、紛失場所、紛失回数を携帯ストラップ紛失履歴として保存する為、仮に使用者が警告に気付かなくても、後日にメモリ保存された紛失履歴を参照することで紛失した日時や紛失場所を確認して探しに行くことも可能になる。
【００４０】
［第３実施形態］
次に、第３実施形態について説明する。第３実施形態による携帯端末１０の構成は、前述した第１実施形態と同一であるので、その説明については省略する。以下では、図６を参照して第３実施形態による携帯ストラップ紛失検出処理の動作について説明する。本処理は、第１実施形態と同様、予め使用者が「携帯ストラップ紛失検出機能」を有効に設定しておいた場合に実行される。すなわち、「携帯ストラップ紛失検出機能」を有効に設定した場合に、本処理は所定周期毎にタイマ割り込み実行される。
【００４１】
本処理の実行タイミングになると、制御部１００は図６に図示するステップＳＣ１に進み、触覚センサ部１１１の出力信号を取得し、続くステップＳＣ２では、取得した出力信号が接触物有り、つまり携帯ストラップが巻回保持されている状態であるかどうかを判断する。触覚センサ部１１１の出力信号が接触物有りの状態（携帯ストラップが巻回保持されている状態）であれば、判断結果は「ＹＥＳ」になり、本処理を終える。
【００４２】
一方、触覚センサ部１１１の出力信号が接触物無しの状態（携帯ストラップが外れている状態）ならば、上記ステップＳＣ２の判断結果は「ＮＯ」になり、ステップＳＣ３に進む。ステップＳＣ３では、位置登録している基地局から取得したＧＰＳアシストデータとＧＰＳ受信部１０７により受信したＧＰＳ信号とに基づくＧＰＳ測位により現在位置情報（緯度、経度）を紛失場所として取得する。
【００４３】
続いて、ステップＳＣ４では、携帯ストラップが外れたことを検知した時点の年月日および時刻、紛失回数、上記ステップＳＣ３において取得した紛失場所を、携帯ストラップ紛失履歴としてメモリ部１０８の使用者エリアに書き込む。こうした紛失履歴を保存することによって携帯ストラップを落とした場所、回数および日時を特定することができる。
【００４４】
次いで、ステップＳＣ５では、表示部１０３に警告メッセージを表示したり、スピーカ１０４から警報音を鳴動させたりして使用者に携帯ストラップが外れたことを警告する。続いて、ステップＳＣ６では、使用者が警告に気付き、操作部１０６にて紛失警告を解除する操作を行ったか否かを判断する。紛失警告を解除する操作が行われた場合には、判断結果が「ＹＥＳ」となり、ステップＳＣ７に進む。ステップＳＣ７では、表示部１０３に警告メッセージを表示したままで、スピーカ１０４からの警報音の鳴動を停止させてから本処理を終える。
【００４５】
一方、紛失警告を解除する操作が行われないと、上記ステップＳＣ６の判断結果は「ＮＯ」になり、ステップＳＣ８に進む。ステップＳＣ８では、警報動作がＺ回（予め設定される所定回数）以上繰り返されたか否かを判断する。警報動作がＺ回（予め設定される所定回数）以下ならば、判断結果は「ＮＯ」になり、上述のステップＳＣ５に処理を戻し、警告動作を繰り返す。
【００４６】
そして、繰り返された警告動作がＺ回（予め設定される所定回数）を超えると、上記ステップＳＣ８の判断結果が「ＹＥＳ」となり、この場合、使用者が携帯端末１０を所持していないか、携帯端末１０を操作できる状況下にいないと見なしてステップＳＣ９に進み、警察に遺失物届けを通知する。
【００４７】
具体的には、警察の遺失物届出用データベースに、携帯端末１０の使用者のＩＤ情報（電話番号、メールアドレス、住所、名前等、個人の身元を特定するための情報）、紛失物の品名やシリアル番号、紛失履歴（紛失時間、紛失場所）を自動的に登録する。ただし、予め紛失物の品名やシリアル番号等をＭＳのメモリ部１０８に登録する必要がある。登録は、携帯ストラップ取り付け口に取り付ける時に、使用者がマニュアル入力しても良いし、ＪＡＮコード（Ｊａｐａｎｅｓｅ  Ａｒｔｉｃｌｅ  Ｎｕｍｂｅｒ、JIS X 0501）やＱＲコード（登録商標  第４０７５０６６号）に代表される、いわゆるバーコードラベル等を読み込ませて自動的に行って良い。また、ＭＳから警察の遺失物届出用データベースへ自動登録を行うための環境を整える必要がある。
【００４８】
こうした遺失物届けを警察に通知し終えると、ステップＳＣ７に進み、表示部１０３に警告メッセージを表示したままで、スピーカ１０４からの警報音の鳴動を停止させてから本処理を終える。
【００４９】
このように、第３実施形態による携帯ストラップ紛失検出処理では、所定周期毎に触覚センサ部１１１の出力信号を取得し、取得した出力信号が接触物有り、つまり携帯ストラップが巻回保持されている状態であるかどうかを判断する。接触物有りの状態（携帯ストラップが巻回保持されている状態）ならば本処理を終えるが、接触物無しの状態（携帯ストラップが外れている状態）であると、ＧＰＳ測位により取得される紛失場所、携帯ストラップが外れたことを検知した時点の年月日および時刻、紛失回数を携帯ストラップ紛失履歴としてメモリ部１０８の使用者エリアに保存した後、使用者に対して携帯ストラップが外れたことを所定回数繰り返し警告し、警告し終えると、自動的に自動的に遺失物の届けを警察に通知する。
【００５０】
これにより、携帯ストラップが外れたことを使用者に警告することが出来、しかも携帯ストラップが外れたことを検知した時点の年月日および時刻、紛失場所、紛失回数を携帯ストラップ紛失履歴として保存する為、仮に使用者が警告に気付かなくても、後日にメモリ保存された紛失履歴を参照することで紛失した日時や紛失場所を確認して探しに行くことも可能になるし、遺失物の届けを警察へ通知することにより拾得物として警察に届けられていれば確実に返却されるようになる。
【００５１】
［第４実施形態］
上述した第１〜第３実施形態による携帯ストラップ紛失検出処理は、タイマ割り込みにより所定周期毎に実行されるようにしたが、第４実施形態では、触覚センサ部１１１の出力信号が接触物無しの状態（携帯ストラップが外れている状態）を表す場合に、ハードウェア割り込みにて制御部１００が携帯ストラップ紛失検出処理を実行する。図７は、第４実施形態による携帯ストラップ紛失検出処理の動作を示すフローチャートである。
【００５２】
すなわち、携帯ストラップが触覚センサ部１１１に巻回保持された状態から外れた状態になり、これにより触覚センサ部１１１の出力信号が接触物無しの状態（携帯ストラップが外れている状態）を表すと、ハードウェア割り込みにて制御部１００が図７に図示する携帯ストラップ紛失検出処理を実行し、ステップＳＤ１に処理を進め、携帯ストラップが外れたことを検知した時点の年月日および時刻、紛失回数を携帯ストラップ紛失履歴としてメモリ部１０８の使用者エリアに書き込む。こうした紛失履歴を保存することによって携帯ストラップを落とした回数や日時を特定することができる。
【００５３】
続いて、ステップＳＤ２では、表示部１０３に警告メッセージを表示したり、スピーカ１０４から警報音を鳴動させたりして使用者に携帯ストラップが外れたことを警告する。そして、ステップＳＤ３では、使用者が警告に気付き、操作部１０６にて紛失警告を解除する操作を行ったか否かを判断する。紛失警告を解除する操作が行われた場合には、判断結果が「ＹＥＳ」となり、ステップＳＤ４に進み、表示部１０３に警告メッセージを表示したままで、スピーカ１０４からの警報音の鳴動を停止させてから本処理を終える。
【００５４】
一方、紛失警告を解除する操作が行われないと、上記ステップＳＤ３の判断結果が「ＮＯ」になり、ステップＳＤ５に進む。ステップＳＤ５では、警報動作がＺ回（予め設定される所定回数）以上繰り返されたか否かを判断する。警報動作がＺ回（予め設定される所定回数）以下ならば、判断結果は「ＮＯ」になり、上述のステップＳＤ２に処理を戻し、警告動作を繰り返す。
【００５５】
そして、繰り返された警告動作がＺ回（予め設定される所定回数）を超えると、上記ステップＳＤ５の判断結果は「ＹＥＳ」となり、この場合、使用者が携帯端末１０を所持していないか、携帯端末１０を操作できる状況下にいないと見なしてステップＳＤ４に進み、表示部１０３に警告メッセージを表示したままで、スピーカ１０４からの警報音の鳴動を停止させてから本処理を終える。
【００５６】
このように、第４実施形態による携帯ストラップ紛失検出処理では、触覚センサ部１１１の出力信号が接触物無しの状態（携帯ストラップが外れている状態）になると、携帯ストラップが外れたことを検知した時点の年月日および時刻、紛失回数を携帯ストラップ紛失履歴としてメモリ部１０８の使用者エリアに保存した後、使用者に対して携帯ストラップが外れたことを所定回数繰り返し警告する。
【００５７】
これにより、携帯ストラップが外れたことを使用者に警告することが出来、しかも携帯ストラップが外れたことを検知した時点の年月日および時刻、紛失回数を携帯ストラップ紛失履歴として保存する為、仮に使用者が警告に気付かなくても、後日にメモリ保存された紛失履歴を参照することで紛失した日時を確認して紛失場所や状況を推定することも可能になる。
【００５８】
なお、第４実施形態による携帯ストラップ紛失検出処理は、タイマ割り込みにより実行される第１実施形態を、触覚センサ部１１１の出力信号に基づくハードウェア割り込みとしたものであるが、これに限定されず、前述した第２乃至第３実施形態による携帯ストラップ紛失検出処理を、触覚センサ部１１１の出力信号に基づくハードウェア割り込みとしても構わない。タイマ割り込みからハードウェア割り込みに変更することで制御部１００のＣＰＵ負荷軽減を図ることが出来る。
【００５９】
［第１〜第４実施形態の変形例］
次に、図８〜図９を参照して第１〜第４実施形態の変形例について説明する。上述した第１〜第４実施形態では、一つの触覚センサ部１１１を備える場合について言及したが、これに限らず、図８〜図９に図示する一例のように、３つの携帯ストラップ取り付け口を備え、それら取り付け口の各梁状部材に、各々例えば導電性ゴムを用いた感圧スイッチを形成し、携帯ストラップが梁状部材に巻回保持されている状態でオン信号（又はオフ信号）を発生し、一方、携帯ストラップが外れた状態でオフ信号（又はオン信号）を出力する触覚センサ部１１１−１〜１１１−３を設ける。この場合、各触覚センサ部１１１−１〜１１１−３に対応したハードウェア割り込みによる携帯ストラップ紛失検出処理を実行する。
【００６０】
なお、変形例では、携帯ストラップ取り付け口の数を３つとしているが、その数は３つに限定されるものではない。同様に、携帯ストラップ取り付け口は短側面にのみ配置されているが、配置場所も筐体の短側面のみに限定されるものではなく、筐体の長側面でも良いし、短側面および長側面に複数設ける態様であっても構わない。
【００６１】
［第５実施形態］
上述した第１〜第４実施形態では、携帯ストラップが接触しているか否かを検出する触覚センサ部１１１の出力（オンオフ信号）に基づき携帯ストラップが外れたことを検出した場合に、使用者に紛失警告するのに対し、第５実施形態では、触覚センサ部１１１を圧電素子で形成し、携帯ストラップ取り付け口に加わる力（引っ張り力）に応じて生成されるセンサ出力に基づいて携帯ストラップの劣化を招致する過大なストレスが加わったことを使用者に警告する。
【００６２】
なお、第５実施形態で用いる触覚センサ部１１１は、図２及び図３に図示する一例のように、例えば直方体形状の筐体からなる携帯端末１０の短側面に設けられた携帯ストラップ取り付け口の梁状部材上に圧電素子を設け、当該圧電素子によって携帯ストラップ取り付け口に加わる力（引っ張り力）に応じた出力信号を発生させる。
【００６３】
次に、図１０を参照して第５実施形態による携帯ストラップストレス検出処理の動作を説明する。本処理は、予め使用者が「携帯ストラップストレス検出機能」を有効に設定しておいた場合に、所定周期毎にタイマ割り込み実行される。本処理の実行タイミングになると、制御部１００は図１０に図示するステップＳＥ１に処理を進める。
【００６４】
ステップＳＥ１では、触覚センサ部１１１の出力信号を取得し、続くステップＳＥ２では、取得した出力信号が所定値以下であるか否か、すなわち携帯ストラップに所定以上の過大な引っ張り力が加わっていない状態であるかどうかを判断する。なお、取得した出力信号について閾値判別するための所定値は予めメモリ部１０８に登録しておく。この所定値はファクトリープリセットされる態様でも良いし、使用者が調整可能な態様としても構わない。
【００６５】
取得した触覚センサ部１１１の出力信号が所定値以下の場合、つまり携帯ストラップに所定以上の過大な引っ張り力が加わっていない状態ならば、上記ステップＳＥ２の判断結果は「ＹＥＳ」になり、本処理を終える。
【００６６】
一方、携帯ストラップに所定以上の過大な引っ張り力が加わり、取得した触覚センサ部１１１の出力信号が所定値を超える場合には、上記ステップＳＥ２の判断結果が「ＮＯ」となり、ステップＳＥ３に進む。そして、ステップＳＥ３では、携帯ストラップに所定以上の過大な引っ張り力が加わり、当該携帯ストラップの劣化を招致する過大なストレスを検出した時点の年月日および時刻、検出回数を負荷履歴としてメモリ部１０８の使用者エリアに書き込む。こうした負荷履歴を保存することによって携帯ストラップが劣化したことの早期発見やストラップ交換時期の判断材料にすることができる。
【００６７】
次いで、ステップＳＥ４では、表示部１０３に警告メッセージを表示したり、スピーカ１０４から警報音を鳴動させたりすることによって、使用者に対して携帯ストラップの劣化を招致する過大なストレスが加わったことを警告する。続いて、ステップＳＥ５では、使用者がその警告に気付き、操作部１０６にて警告動作を解除する操作を行ったか否かを判断する。警告を解除する操作が行われた場合には、判断結果が「ＹＥＳ」となり、ステップＳＥ６に処理を進め、表示部１０３に警告メッセージを表示したままで、スピーカ１０４からの警報音の鳴動を停止させてから本処理を終える。
【００６８】
一方、警告を解除する操作が行われないと、上記ステップＳＥ５の判断結果は「ＮＯ」になり、ステップＳＥ７に進む。ステップＳＥ７では、警報動作がＺ回（予め設定される所定回数）以上繰り返されたか否かを判断する。警報動作がＺ回（予め設定される所定回数）以下ならば、判断結果は「ＮＯ」になり、上述のステップＳＥ４に処理を戻し、警告動作を繰り返す。
【００６９】
そして、繰り返された警告動作がＺ回（予め設定される所定回数）を超えると、上記ステップＳＥ７の判断結果は「ＹＥＳ」となり、この場合、使用者が携帯端末１０を所持していないか、携帯端末１０を操作できる状況下にいないと見なしてステップＳＥ６に進み、表示部１０３に警告メッセージを表示したままで、スピーカ１０４からの警報音の鳴動を停止させてから本処理を終える。なお、表示したままの警告メッセージは、使用者がメモリ部１０８の使用者エリアに書き込まれた負荷履歴を表示確認する操作を行った場合に表示消去される。
【００７０】
このように、第５実施形態による携帯ストラップストレス検出処理では、所定周期毎に触覚センサ部１１１の出力信号を取得し、取得した出力信号が所定値以下であるか否か、すなわち携帯ストラップに所定以上の過大な引っ張り力が加わっていない状態であるかどうかを判断する。携帯ストラップに所定以上の過大な引っ張り力が加わっていなければ本処理を終えるが、携帯ストラップに所定以上の過大な引っ張り力が加わり、当該携帯ストラップの劣化を招致する過大なストレスを検出すると、その検出時点の年月日および時刻、検出回数を負荷履歴としてメモリ部１０８の使用者エリアに保存した後、使用者に対して携帯ストラップが外れたことを所定回数繰り返し警告する。
【００７１】
これにより、携帯ストラップの劣化を招致する過大なストレスを検出したことを使用者に警告することが出来、しかもそうしたストレスを検出した時点の年月日および時刻、検出回数を負荷履歴として保存する為、仮に使用者が警告に気付かなくても、後日にメモリ保存された負荷履歴を参照することで携帯ストラップが劣化したことの早期発見やストラップ交換時期の判断材料にすることができる。
【００７２】
なお、上述したステップＳＥ２にて閾値判別に用いる所定値を、携帯ストラップ取り付け口における梁状部分の取り付け強度の規格として設定することで当該携帯ストラップ取り付け口に過大に加わる力を検出し、携帯端末の故障や破損の早期発見を行う機能として使用することも可能である。
【００７３】
［第６実施形態］
前述した第５実施形態では、携帯ストラップの劣化を招致する過大なストレス（引っ張り力）を検出したことを使用者に警告するようにしたが、それほど大きな引っ張り力を加えなくとも、長年の使用による摩耗などで携帯ストラップの係留部は経年劣化する。なお、ここで言う係留部とは、後述するように、携帯ストラップが梁状部材に巻回保持される部分を指す。そこで、第６実施形態では、携帯ストラップの係留部の劣化を検出して使用者に警告することによって携帯ストラップ紛失のリスク自体を低減させる。以下、こうした第６実施形態について図１１〜図１３を参照して説明する。
【００７４】
図１１は、第６実施形態による携帯ストラップ取り付け口の構造を示す正面断面図である。第６実施形態では、触覚センサ１１１が携帯ストラップ取り付け口の梁状部だけでなく、凹み部分の右側面部、左側面部及び底面部に設けられる。このように配設される触覚センサ１１１は、前述した第１実施形態と同様、導電性ゴムを用いた感圧スイッチを形成する。携帯ストラップの係留部（梁状部材に巻回保持される装着部分）に劣化が無ければ、図１１に図示する通り、当該係留部が梁状部、右側面部、左側面部及び底面部のそれぞれに配設される触覚センサ１１１に接触した状態を保つ。
【００７５】
ところが、携帯ストラップの係留部に摩耗などの経年劣化が生じると、図１２に図示する一例のように、携帯ストラップの係留部が細くなり、例えば携帯ストラップ取り付け口の左側面部に配設される触覚センサ１１１と接触しなくなる。このように、第６実施形態では、携帯ストラップ取り付け口の梁状部、右側面部、左側面部及び底面部のそれぞれに感圧スイッチとして機能する触覚センサ１１１を設けておき、それら触覚センサ１１１が接触を検知しなくなった場合に、携帯ストラップの係留部における劣化を検出する。
【００７６】
次に、図１３を参照して第６実施形態による携帯ストラップ劣化検出処理の動作を説明する。本処理は、予め使用者が「携帯ストラップ劣化検出機能」を有効に設定しておいた場合に、所定周期毎にタイマ割り込み実行される。本処理の実行タイミングになると、制御部１００は図１３に図示するステップＳＦ１に処理を進め、携帯ストラップ取り付け口の梁状部、右側面部、左側面部及び底面部のそれぞれに配設される触覚センサ１１１の各出力信号を取得する。
【００７７】
次いで、ステップＳＦ２では、取得した触覚センサ１１１（梁状部、右側面部、左側面部及び底面部）の各出力信号がそれぞれ接触物有りの状態を表しているか否か、つまり携帯ストラップの係留部に劣化無しであるかどうかを判断する。触覚センサ１１１（梁状部、右側面部、左側面部及び底面部）の各出力信号がそれぞれ接触物有りの状態を表し、携帯ストラップの係留部に劣化が無ければ、判断結果は「ＹＥＳ」になり、本処理を終える。
【００７８】
一方、触覚センサ１１１（梁状部、右側面部、左側面部及び底面部）の各出力信号がそれぞれ接触物無しの状態を表す場合、すなわち携帯ストラップの係留部に劣化を検出すると、上記ステップＳＦ２の判断結果は「ＮＯ」になり、次のステップＳＦ３に進む。
【００７９】
なお、本実施形態では、触覚センサ１１１（梁状部、右側面部、左側面部及び底面部）の各出力信号がそれぞれ接触物無しの状態を表す場合に、携帯ストラップの係留部に劣化を検出したと見なすようにしたが、これに限らず、触覚センサ１１１（梁状部、右側面部、左側面部及び底面部）の各出力信号の何れか一つでも接触物無しの状態を表した場合もしくは触覚センサ１１１（梁状部、右側面部、左側面部及び底面部）の各出力信号の内、２つ以上が接触物無しの状態を表した場合に、携帯ストラップの係留部に劣化を検出したと見なす態様としても構わない。
【００８０】
そして、ステップＳＦ３に進むと、携帯ストラップの係留部に劣化を検出した時点の年月日および時刻、検出回数を検出履歴としてメモリ部１０８の使用者エリアに書き込む。こうした検出履歴を保存することによって携帯ストラップが劣化したことの早期発見やストラップ交換時期の判断材料にすることができる。
【００８１】
次いで、ステップＳＦ４では、表示部１０３に警告メッセージを表示したり、スピーカ１０４から警報音を鳴動させたりすることによって、使用者に対して携帯ストラップに劣化が生じたことを警告する。続いて、ステップＳＦ５では、使用者がその警告に気付き、操作部１０６にて警告動作を解除する操作を行ったか否かを判断する。警告を解除する操作が行われた場合には、判断結果が「ＹＥＳ」となり、ステップＳＦ６に処理を進め、表示部１０３に警告メッセージを表示したままで、スピーカ１０４からの警報音の鳴動を停止させてから本処理を終える。
【００８２】
一方、警告を解除する操作が行われないと、上記ステップＳＦ５の判断結果は「ＮＯ」になり、ステップＳＦ７に進む。ステップＳＦ７では、警報動作がＺ回（予め設定される所定回数）以上繰り返されたか否かを判断する。警報動作がＺ回（予め設定される所定回数）以下ならば、判断結果は「ＮＯ」になり、上述のステップＳＦ４に処理を戻し、警告動作を繰り返す。
【００８３】
そして、繰り返された警告動作がＺ回（予め設定される所定回数）を超えると、上記ステップＳＦ７の判断結果は「ＹＥＳ」となり、この場合、使用者が携帯端末１０を所持していないか、携帯端末１０を操作できる状況下にいないと見なしてステップＳＦ６に進み、表示部１０３に警告メッセージを表示したままで、スピーカ１０４からの警報音の鳴動を停止させてから本処理を終える。なお、表示したままの警告メッセージは、使用者がメモリ部１０８の使用者エリアに書き込まれた検出履歴を表示確認する操作を行った場合に表示消去される。
【００８４】
このように、第６実施形態による携帯ストラップ劣化検出処理では、携帯ストラップ取り付け口の梁状部、右側面部、左側面部及び底面部のそれぞれに感圧スイッチとして機能する触覚センサ１１１を設け、取得した触覚センサ１１１（梁状部、右側面部、左側面部及び底面部）の各出力信号がそれぞれ接触物有りの状態を表す場合には、携帯ストラップの係留部に劣化が無いとして本処理を終える。
【００８５】
これに対し、触覚センサ１１１（梁状部、右側面部、左側面部及び底面部）の各出力信号がそれぞれ接触物無しの状態を表す場合、すなわち携帯ストラップの係留部に劣化を検出すると、その検出時点の年月日および時刻、検出回数を検出履歴としてメモリ部１０８の使用者エリアに保存した後、使用者に対して携帯ストラップが劣化したことを所定回数繰り返し警告する。
【００８６】
こうして、携帯ストラップの係留部の劣化を検出して使用者に警告することで携帯ストラップ紛失のリスク自体を低減させることが出来、しかも劣化を検出した時点の年月日および時刻、検出回数を検出履歴として保存する為、仮に使用者が警告に気付かなくても、後日にメモリ保存された検出履歴を参照することで携帯ストラップが劣化したことの早期発見やストラップ交換時期の判断材料にすることも出来る。
【００８７】
［第５実施形態の変形例］
前述した第５実施形態による携帯ストラップストレス検出処理（図１０参照）は、タイマ割り込みにより所定周期毎に実行されるようにしたが、これに限らず、第５実施形態の変形例では、触覚センサ部１１１の出力信号レベルを常時モニタしておき、当該出力信号レベルが所定値を超えた場合にハードウェア割り込みによって携帯ストラップストレス検出処理を実行する。
【００８８】
［第６実施形態の変形例］
前述した第６実施形態による携帯ストラップ劣化検出処理（図１３参照）は、タイマ割り込みにより所定周期毎に実行されるようにしたが、これに限らず、第６実施形態の変形例では、触覚センサ１１１（梁状部、右側面部、左側面部及び底面部）の各出力信号が接触物無しの状態を表した場合に、携帯ストラップの係留部に劣化を検出したと見なしてハードウェア割り込みによって、携帯ストラップ劣化検出処理を実行する。この場合、ステップＳＦ３以降を実行する。
【００８９】
また、触覚センサ１１１（梁状部、右側面部、左側面部及び底面部）の各出力信号の何れか一つでも接触物無しの状態を表した場合もしくは触覚センサ１１１（梁状部、右側面部、左側面部及び底面部）の各出力信号の内、２つ以上が接触物無しの状態を表した場合に、携帯ストラップの係留部に劣化を検出したと見なしてハードウェア割り込みによって、携帯ストラップ劣化検出処理を実行する態様とすることも可能である。
【００９０】
加えて、本発明は前述した第１〜第６実施形態や例示した変形例に限定されるものではなく、本発明の範囲で種々変形することが可能である。一例として挙げれば、本実施形態における携帯端末は、携帯電話やスマートフォンに限らず、ゲーム装置、タブレットＰＣ、ラップトップ／ノートＰＣなどの電子機器にも適用可能であることは言うまでもない。
【００９１】
［付記］
次に、本発明の特徴を付記する。なお、前述の実施形態／変形例の一部又は全部は、以下の付記のように記載され得るが、その記載に限定されるものではない。
【００９２】
（付記１）
ストラップの接触状態を検出する検出手段と、
前記検出手段の検出結果からストラップが装着された状態であるか否かを判別する判別手段と、
前記判別手段によりストラップが外れた状態と判別された場合に、ストラップの紛失を警告する紛失警告手段と
を具備することを特徴とする端末装置。
【００９３】
（付記２）
前記判別手段によりストラップが外れた状態と判別された場合に、現在年月日および時刻、紛失回数を紛失履歴として記録する履歴記録手段を更に備えることを特徴とする付記１記載の端末装置。
【００９４】
（付記３）
前記紛失警告手段は、使用者による警告停止操作が為されない場合に、警告動作を所定回数繰り返した後、警告動作を停止させることを特徴とする付記１記載の端末装置。
【００９５】
（付記４）
現在位置情報を取得する位置情報取得手段を更に備え、
前記履歴記録手段は、前記判別手段によりストラップが外れた状態と判別された場合に、前記位置情報取得手段により取得された現在位置情報を紛失場所として、現在年月日および時刻、紛失回数と共に紛失履歴として記録することを特徴とする付記２記載の端末装置。
【００９６】
（付記５）
前記紛失警告手段は、警告動作を所定回数繰り返した後、遺失物の届け出を通知する通知手段を更に備えることを特徴とする付記１記載の端末装置。
【００９７】
（付記６）
ストラップに加わる力を検出する力検出手段と、
前記力検出手段の検出結果からストラップに過負荷が加えられたか否かを判別する過負荷判別手段と、
前記過負荷判別手段によりストラップに過負荷が加えられたと判別された場合に、現在年月日および時刻、検出回数を負荷履歴として記録する負荷履歴記録手段と、
前記過負荷判別手段によりストラップに過負荷が加えられたと判別された場合に、ストラップの過負荷を警告する警告手段と
を具備することを特徴とする端末装置。
【００９８】
（付記７）
ストラップの劣化の有無を検出する劣化検出手段と、
前記劣化検出手段によりストラップの劣化が検出された場合に、現在年月日および時刻、検出回数を検出履歴として記録する劣化履歴記録手段と、
前記劣化検出手段によりストラップの劣化が検出された場合に、ストラップの劣化を警告する警告手段と
を具備することを特徴とする端末装置。
【００９９】
（付記８）
端末装置に搭載されるコンピュータに、
ストラップの接触状態を検出する検出ステップと、
前記検出ステップでの検出結果からストラップが装着された状態であるか否かを判別する判別ステップと、
前記判別ステップによりストラップが外れた状態と判別された場合に、ストラップの紛失を警告する紛失警告ステップと
を実行させることを特徴とするプログラム。
【０１００】
（付記９）
前記判別ステップによりストラップが外れた状態と判別された場合に、現在年月日および時刻、紛失回数を紛失履歴として記録する履歴記録ステップを更に備えることを特徴とする付記８記載のプログラム。
【０１０１】
（付記１０）
前記紛失警告ステップは、使用者による警告停止操作が為されない場合に、警告動作を所定回数繰り返した後、警告動作を停止させることを特徴とする付記８記載のプログラム。
【０１０２】
（付記１１）
現在位置情報を取得する位置情報取得ステップを更に備え、
前記履歴記録ステップは、前記判別ステップによりストラップが外れた状態と判別された場合に、前記位置情報取得ステップにより取得された現在位置情報を紛失場所として、現在年月日および時刻、紛失回数と共に紛失履歴として記録することを特徴とする付記９記載のプログラム。
【０１０３】
（付記１２）
前記紛失警告ステップは、警告動作を所定回数繰り返した後に、遺失物の届け出を通知する通知手段を更に備えることを特徴とする付記８記載のプログラム。
【０１０４】
（付記１３）
端末装置に搭載されるコンピュータに、
ストラップに加わる力を検出する力検出ステップと、
前記力検出ステップの検出結果からストラップに過負荷が加えられたか否かを判別する過負荷判別ステップと、
前記過負荷判別ステップでストラップに過負荷が加えられたと判別された場合に、現在年月日および時刻、検出回数を負荷履歴として記録する負荷履歴記録ステップと、
前記過負荷判別ステップでストラップに過負荷が加えられたと判別された場合に、ストラップの過負荷を警告する警告ステップと
を実行させることを特徴とするプログラム。
【０１０５】
（付記１４）
ストラップの劣化の有無を検出する劣化検出ステップと、
前記劣化検出ステップでストラップの劣化が検出された場合に、現在年月日および時刻、検出回数を検出履歴として記録する劣化履歴記録ステップと、
前記劣化検出ステップでストラップの劣化が検出された場合に、ストラップの劣化を警告する警告ステップと
を実行させることを特徴とするプログラム。
【符号の説明】
【０１０６】
１０  携帯端末
１００  制御部
１０１  第１の通信部
１０２  電源部
１０３  表示部
１０４  スピーカ
１０５  マイクロフォン
１０６  操作部
１０７  ＧＰＳ受信部
１０８  メモリ部
１０９  第２の通信部
１１０  付加機能部
１１１  触覚センサ部
【図１】
2013219756.tif 000003
【図２】
2013219756.tif 000004
【図３】
2013219756.tif 000005
【図４】
2013219756.tif 000006
【図５】
2013219756.tif 000007
【図６】
2013219756.tif 000008
【図７】
2013219756.tif 000009
【図８】
2013219756.tif 000010
【図９】
2013219756.tif 000011
【図１０】
2013219756.tif 000012
【図１１】
2013219756.tif 000013
【図１２】
2013219756.tif 000014
【図１３】
2013219756.tif 000015